(57)【要約】【課題】本発明の目的は、強度面や使い勝手を改良した床面として利用可能な雨戸を提供することである。【解決手段】雨戸（１３０）は、板部（１００ａ、１００ｂ）と、板部（１００ａ、１００ｂ）を壁面に取り付ける板部取付部（６００ａ、６００ｂ）と、板部（１００ａ、１００ｂ）を窓に沿って直立させるストッパー部（３１０ａ、３１０ｂ）と、備えている。板部取付部（６００ａ、６００ｂ）は、板部（１００ａ、１００ｂ）を前方に向けて回転可能とする回転機構（２００）を有し、板部（１００ａ、１００ｂ）は、折り畳み可能な脚部（１１０）を有している。【選択図】図８
2020186550.tif 000002
【特許請求の範囲】
【請求項１】
板部と、
前記板部を壁面に取り付ける板部取付部と、
前記板部を窓に沿って直立させるストッパー部と、備え、
前記板部取付部は、前記板部を前方に向けて回転可能とする回転機構を有し、
前記板部は、折り畳み可能な脚部を有している、雨戸。
【請求項２】
前記板部は、少なくとも２重に折り畳むことが可能な折畳部を有している、請求項１に記載の雨戸。
【請求項３】
前記回転機構は、棒部材で構成される機構であり、
前記棒部材を前記板部に設けられた貫通孔に通すことで、該板部が前方に回転可能となる、請求項１または請求項２に記載の雨戸。
【請求項４】
前記ストッパー部は、前記板部を左右方向に移動可能とするレール機構と該レール機構を上下方向に移動可能とするスライド機構を有している、請求項１乃至請求項３のいずれか一項に記載の雨戸。
【発明の詳細な説明】
【技術分野】
【０００１】
本発明は、雨戸に関する。
【背景技術】
【０００２】
従来、雨戸を床面として利用する多用途雨戸が知られている（例えば、特許文献１）。
【先行技術文献】
【特許文献】
【０００３】
【特許文献１】特開２０１２−１７２３５１号公報
【発明の概要】
【発明が解決しようとする課題】
【０００４】
しかし、特許文献１に示す多用途雨戸は、蝶番状の金具を用いて壁に取り付ける構成であるため、床面として利用する際の強度や使い勝手に問題がある。
【０００５】
本発明は、このようなことに鑑みてなされたものであり、強度面や使い勝手を改良した床面として利用可能な雨戸を提供することである。
【課題を解決するための手段】
【０００６】
上記目的は、
板部と、
前記板部を壁面に取り付ける板部取付部と、
前記板部を窓に沿って直立させるストッパー部と、備え、
前記板部取付部は、前記板部を前方に向けて回転可能とする回転機構を有し、
前記板部は、折り畳み可能な脚部を有している、雨戸、によって達成される。
【０００７】
また、上記目的は、
前記板部は、少なくとも２重に折り畳むことが可能な折畳部を有している、上記の記載の雨戸、によっても達成される。
【発明の効果】
【０００８】
本発明によれば、強度面や使い勝手を改良した雨戸を床面として利用可能な雨戸を提供することができる。
【図面の簡単な説明】
【０００９】
【図１】本発明の第１の実施形態による雨戸１００を説明する図である。
【図２】本発明の第１の実施形態による雨戸１００を説明する図である。
【図３】本発明の第１の実施形態による雨戸１００を説明する図である。
【図４】本発明の第１の実施形態による雨戸１００を説明する図である。
【図５】本発明の第１の実施形態による雨戸１００を説明する図である。
【図６】本発明の第１の実施形態による雨戸１００の変形例説明する図である。
【図７】本発明の第１の実施形態による雨戸１００の変形例を説明する図である。
【図８】本発明の第２の実施形態による雨戸１３０を説明する図である。
【図９】本発明の第３の実施形態による雨戸１４０を説明する図である。
【図１０】本発明の第３の実施形態による雨戸１４０を説明する図である。
【図１１】本発明の第１の実施形態による雨戸１００の運用例を説明する図である。
【発明を実施するための形態】
【００１０】
以下、図１〜図５を用いて、本発明の第１の実施形態による雨戸１００を説明する。なお、以下の全ての図面においては、理解を容易にするため、各構成要素の寸法や比率などは適宜異ならせて図示する場合がある。また、同じ構成については、符号を同一にすることでその説明を省略する場合がある。なお、外観に表れない隠れ線を点線にて表している。
【００１１】
図１は、本実施形態による雨戸１００を構成する部材の正面図である。板部材１００ａは、窓を覆う戸板及び床面として利用可能な大きさを有し、上部に脚部１１０と、下部に棒部材２００を通す貫通孔１２０を備えている。板部材１００ａは、軽量かつ強度の高い材質を用いるのが好適であり、木質ボード、集成材、合板、木質のファイバーボード、グラスファイバーボード、ウレタン樹脂、ポリカーポネート樹脂、ＰＥＴ樹脂、アルミ板等を用いてもよいし、剛性の高い合成樹脂材料やこれら以外の材質を用いてもよいし、これらを任意に積層させたものを用いてもよい。また、板部材１００ａに合成樹脂材料を用いた場合には、内部に閉じられた空間を設けることで軽量化を図ってもよい。
【００１２】
棒部材２００は、板部材１００ａの下部に設けられた貫通孔１２０に通し、板部材１００ａを床面として利用する際に壁面に取付て支持するための部材である。棒部材２００は、軽量かつ強度の高い材質を用いるのが好適であり、木材、金属、ウレタン樹脂、ポリカーポネート樹脂、ＰＥＴ樹脂等を用いてもよいし、剛性の高い合成樹脂材料やこれら以外の材質を用いてもよい。
【００１３】
本実施形態においては、棒部材２００は、円柱状であり、円柱面の直径は、板部材１００ａの厚みを１とした場合において、０．１〜０．９の大きさであり、より好ましくは、０．３〜０．７の大きさである。なお、棒部材２００は、多角柱状であってもよいし、楕円形状であってもよい。また、貫通孔１２０の孔の直径を棒部材２００の円柱面の直径と同程度とすることで、板部材１００ａと棒部材２００の摩擦を高くし、板部材１００ａを安全に回転させることが可能となる。
【００１４】
板部材１００ａの上部には、脚部１１０が設けられている。脚部１１０は、折畳可能な構造を有している。脚部１１０は、棒部材２００と同じ材質を用いてもよいし、異なる材質を用いてもよい。また、脚部１１０に合成樹脂材料を用いた場合には、内部に閉じられた空間を設けることで軽量化を図ってもよい。
【００１５】
図２は、本実施形態による雨戸１００を床面として利用した際の板部材１００ａ動きを表している。図中に示す矢印は、板部材１００ａ及び脚部１１０の動作の軌跡を示している。図２に示すように、雨戸１００の板部材１００ａは、前方に向けて回転するように構成される。
【００１６】
図３は、雨戸１００を建物に取り付けた状態の正面図である。建物の窓を覆うように、板部材１００ａ、１００ｂが配設される。板部材１００ａ、１００ｂの左右隣りに、板部材１００ａ、１００ｂを収容する戸袋５００ａ、５００ｂが設けられる。また、板部材１００ａ、１００ｂの上方に板部材１００ａ、１００ｂを左右にスライド移動させるためのレール３００がレール取付部４００ａ、４００ｂによって建物壁面に取り付けられる。また、棒部材２００は、棒部材取付部６００ａ、６００ｂによって建物壁面に取り付けられる。
【００１７】
図４を用いて、レール取付部４００ａを説明する。なお、レール取付部４００ｂは、レール取付部４００ａと同じ構造である。
【００１８】
レール取付部４００ａは、鉛直方向に伸びる壁面を有し、この壁面にレール３００の表面に設けられた突起部を案内する案内孔が設けられる。この案内孔に沿うようにレール３００を移動させることで、レール３００を上下に移動可能となる。板部材１００ａ、１００ｂを雨戸として利用する際には、レール３００の表面に設けられた突起部をレール取付部４００ａの案内孔の最下位の位置に位置させる。また、板部材１００ａ、１００ｂを床面として利用する際には、レール３００の表面に設けられた突起部をレール取付部４００ａの案内孔の最上位の位置に位置させることで、板部材１００ａ、１００ｂを前方向に回転可能にさせる。また、レール３００の表面に設けられた突起部をレール取付部４００ａの案内孔の最下位の位置に位置させることで、板部材１００ａ、１００ｂを窓に沿って直立させるストッパーとしても機能する。
【００１９】
図５は、本実施形態による雨戸１００の板部材１００ａ、１００ｂを床面として利用した状態を示している。
【００２０】
次いで、図６及び図７を用いて、本発明の第１の実施形態による雨戸１００の変形例を説明する。本変形例の雨戸１００は、板部材１３０ａ、１３０ｂ、レール３１０が板部材１００ａ、１００ｂ、レール３００と異なり、他の構成部材は上述の雨戸１００の構成部材と同じである。
【００２１】
図６及び図７に示すように、レール３１０の前面側には３つの凹形状を備え、板部材１３０ａ、１３０ｂの上端にはそれぞれ２つの凸形状を備えている。図７は、板部材１３０ａ、１３０ｂの上端の凸形状がレール３１０の前面側の凹形状に合わさった状態を示している。板部材１３０ａ、１３０ｂの上端の凸形状がレール３１０の前面側の凹形状に合わさることで、板部材１３０ａ、１３０ｂが前方向に回転可能になる。
【００２２】
図８を用いて、本発明の第２の実施形態による雨戸１３０を説明する。図８に示す点線は、板部材１００ａ、１００ｂを雨戸として利用している状態を示し、矢印は、板部材１００ａ、１００ｂの動作の軌跡を表している。
【００２３】
本実施形態の雨戸１３０は、上述の雨戸１００と異なり、左右方向の移動をしないように構成される。また、板部材１００ａ、１００ｂのそれぞれに、二つの脚部１１０が設けられる。板部材１００ａ、１００ｂの上方にストッパー部材３１０ａ、３１０ｂが壁面に取り付けられる。ストッパー部材３１０ａ、３１０ｂは、壁面に沿うように回転可能に構成される。ストッパー部材３１０ａ、３１０ｂのそれぞれを下方向に向けることで、板部材１００ａ、１００ｂを窓に沿って直立させることが可能になり、ストッパー部材３１０ａ、３１０ｂのそれぞれを上方向に向けることで、板部材１００ａ、１００ｂを前方に回転することが可能となる。
【００２４】
次いで、図９及び図１０を用いて、本発明の第３の実施形態による雨戸１４０を説明する。図１０に示す点線は、板部材１４０ａ、１４０ｂを折り畳む前の状態を示し、矢印は、板部材１００ａ、１００ｂの動作の軌跡を表している。
【００２５】
図９は、本実施形態による雨戸１４０に用いる板部材１４０ａの正面図である。板部材１４０ｂは、板部材１４０ａと同じ構成である。板部材１４０ａは、二つの板とこれらの板を折り畳み可能となるように接合する接合部１５０で構成される。本例では、接合部１５０は、布帛で構成される。接合部１５０をそれぞれの板の端部に接着あるいは縫着することで、板部材１４０ａを半分に折り畳むことが可能である。なお、接合部１５０を複数設けることで、板部材１４０ａの長さを調整可能にしてもよい。また、接合部１５０には、蝶番等の金具を用いてもよい。
【００２６】
図１１を用いて、本発明の第１の実施形態による雨戸１００の運用例を説明する。図１１は、雨戸１００を床面として利用した状態の側面図である。板部材１００ａ、１００ｂの前面に浮体８００を固定するための取付部を設けることで、板部材１００ａ、１００ｂの下方に浮体８００を備え付けることも可能である。取付部は、例えば、板部材１００ａ、１００ｂの表面に凸部を複数設け、その凸部に嵌る凹部を浮体８００に設けることで構成される。板部材１００ａ、１００ｂの凸部に浮体８００の凹部を嵌めることで、ワンタッチで板部材１００ａ、１００ｂに浮体８００を複数取り付けることが可能となる。また、浮体８００は、剛性の高い合成樹脂材料とすることで、板部材１００ａ、１００ｂを下から支える土台としても機能する。また、浮体８００の内部に閉じられた空間を設けることで、軽量化と浮力増加を図ることも可能である。本運用例では、津波や洪水が発生した際に、板部材１００ａ、１００ｂを建物に取り付けるための棒部材２００を外すことで、雨戸１００が避難用筏として用いることが可能となる。
【００２７】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【産業上の利用可能性】
【００２８】
本発明は、雨戸や建物設備に用いるデッキにおいて広く利用可能である。
【符号の説明】
【００２９】
１００、１３０、１４０  雨戸
１００ａ、１００ｂ、１３０ａ、１３０ｂ  板部材
１１０  脚部
１５０  接合部
２００  棒部材
３００、３１０  レール
４００ａ、４００ｂ  レール取付部
６００ａ、６００ｂ  棒部材取付部
８００  浮体
【図１】
2020186550.tif 000003
【図２】
2020186550.tif 000004
【図３】
2020186550.tif 000005
【図４】
2020186550.tif 000006
【図５】
2020186550.tif 000007
【図６】
2020186550.tif 000008
【図７】
2020186550.tif 000009
【図８】
2020186550.tif 000010
【図９】
2020186550.tif 000011
【図１０】
2020186550.tif 000012
【図１１】
2020186550.tif 000013